(57)【要約】【課題】学生用などの繊維製着用品について、着用するだけで学力増進に寄与でき、着用によって遠赤外線を長期間吸収でき且つ着用者から脳波の一種であるα波を誘導発生する作用を付与する。【解決手段】遠赤外線を放射するミネラル含有蛋白質原液を繊維に付着させる繊維製着用品であって、回遊性の硬骨魚類から抽出した水溶性ミネラルおよび蛋白質を主成分とし、高レベルの遠赤外線を放射するミネラル含有蛋白質原液を用い、この原液を均一に分散させた樹脂溶液を繊維に付着させる。【選択図】図１
2005112892.tif 000002
【特許請求の範囲】
【請求項１】
遠赤外線を放射するミネラル含有蛋白質原液を繊維に付着させ、乾燥によって永久固着することにより、着用によって遠赤外線を吸収することができ且つ遠赤外線発生が長期間持続する学力増進に寄与する繊維製着用品。
【請求項２】
回遊性の硬骨魚類から抽出した水溶性ミネラルおよび蛋白質を主成分とし、高レベルの遠赤外線を放射するミネラル含有蛋白質原液を用い、この原液を均一に分散させた樹脂溶液を繊維に付着させることにより、着用によって遠赤外線を吸収することができ且つ遠赤外線発生が長期間持続する学力増進に寄与する繊維製着用品。
【請求項３】
回遊性の硬骨魚類から抽出した水溶性ミネラルおよび蛋白質を主成分とし、遠赤外線の中に含まれる波長６〜１４μｍの活性光線を多く放射するミネラル含有蛋白質原液を用い、この原液を均一に分散させた樹脂溶液を繊維に付着させることにより、高レベルの活性光線の放射によって着用者から脳波の一種であるアルファ波を誘導発生する学力増進に寄与する繊維製着用品。
【請求項４】
原材料である硬骨魚類がカツオ、マグロまたはサバである請求項１、２または３記載の繊維製着用品。
【請求項５】
ミネラル含有蛋白質原液を分散させたポリウレタン樹脂水分散体に繊維を浸漬し、さらに脱水して乾燥する請求項１、２または３記載の繊維製着用品。
【発明の詳細な説明】
【技術分野】
【０００１】
本発明は、着用するだけで学力増進に寄与できる繊維製着用品に関し、着用によって遠赤外線を長期間吸収でき且つ着用者から脳波の一種であるアルファ波（α波）を誘導発生する作用を有する繊維製着用品に関する。
【背景技術】
【０００２】
遠赤外線は、太陽光線の一部である赤外線の中で、波長が約３μｍより長い電磁波であり、物質に良く吸収され且つ人体に浸透することから、身体を芯から温める作用などについて古くから利用されている。遠赤外線は、選択性吸収性による効率的な加熱や人体に対する温熱治療に関して、天然物質を尊重視する近年の風潮から、その利用分野は近年になって急速に拡大している。遠赤外線を放射する物質は、一般に、トルマリンのような天然鉱石またはセラミックスなどの固体である。これらの微粉末は、樹脂バインダに練り込んで布地に塗布したり、紡糸によって繊維化して織物に織り込むことが可能である。繊維製品について、実際に遠赤外線放射物質を付着させた製品が既に数多く提案されている。
【０００３】
例えば、トルマリン粉末を練り込んだ繊維で織成した肌着やサポータが市販されている。実開昭６３−４３５５７号では、遠赤外線放射性のセラミックスを靴下に付着することにより、遠赤外線を放射する靴下を開示し、実開平１−１７１２６８号では、遠赤外線放射性のセラミックスを利用して保温効果の高い毛布を開示している。また、汎用性が高い転写シートとして、遠赤外線放射性のセラミックスを混入した樹脂を離型性ベースシートの上に散点状に塗布した転写シートも存在する。
【特許文献１】実開昭６３−４３５５７号公報
【特許文献２】実開平１−１７１２６８号公報
【特許文献３】特開平１０−２１２４５６号公報
【発明の開示】
【発明が解決しようとする課題】
【０００４】
遠赤外線放射物質であるトルマリンやセラミックスは、繊維製品に接着させるために微粉末化して樹脂バインダに混入することが必要であり、該樹脂バインダが所定の接着強度を保持するには、その混入量は最大でも約５％という少量になってしまう。微粉末の遠赤外線放射物質を接着させた繊維製品は、高いレベルの遠赤外線を放射させることはできず、せいぜいが保温効果を生じる程度にすぎない。このため、大脳生理学の研究で近年明らかになった脳波の一種であるα波について、高レベルの遠赤外線、特に波長６〜１４μｍの活性光線（成育光線）を人体に放射させることにより、人体からα波を誘導発生させるようなことは全く期待できない。
【０００５】
この樹脂バインダは、遠赤外線放射物質を添加可能な量の範囲内であっても、微粉末の固体を混入するによって粘度が低下しやすく、混合機を用いても固体の分散が不十分になることが多い。遠赤外線放射物質の分散が不完全であると、樹脂バインダが剥がれたり遠赤外線による保温効果にムラが生じる。また、トルマリンおよびセラミックスは製造コストが高く、最近開発された合成ミネラル液も製造工程が非常に複雑であって高価である。
【０００６】
本発明は、遠赤外線を放射する従来の繊維製品について前記の問題点を改善するために提案されたものであり、所望のミネラル含有蛋白質原液を付着させることにより、着用するだけで遠赤外線を吸収でき且つ着用者から脳波の一種であるα波を誘導発生する繊維製着用品を提供することを目的としている。本発明の他の目的は、高レベルの遠赤外線を常に放射し且つ保温作用が経時的に殆ど低下しない繊維製着用品を提供することである。本発明の別の目的は、トルマリンやセラミックスを用いる場合に比べて安価な繊維製着用品を提供することである。
【課題を解決するための手段】
【０００７】
本発明に係る繊維製着用品は、回遊性の硬骨魚類から抽出した水溶性ミネラルおよび蛋白質を主成分とするミネラル含有蛋白質原液を用い、この原液を均一に分散させた樹脂溶液を繊維に付着させる。この繊維製着用品は、着用によって遠赤外線を吸収することができ且つ遠赤外線発生が長期間持続する。本発明の繊維製着用品は、学力を増進させる作用があり、学生や学童用特に受験生用としての鉢巻き、膝掛け、毛布、マフラー、Ｔシャツ、タオル、靴下、帽子、リストバンドなどが例示できる。
【０００８】
原材料である回遊性の硬骨魚類は、高速で泳ぎ回るために強靱な筋肉を持っており、蛋白質の量および質ともに優れている。この硬骨魚類として、カツオ、マグロまたはサバなどが例示でき、下記の表１に示すように、血合い肉が多くて蛋白質およびミネラルが多い点からカツオが好適である。表１に示すカツオは、５月頃黒潮に乗って房総沖を北上する初カツオの一例であり、秋になって三陸沖や北海道でＵターンする戻りカツオでは脂肪の量が初カツオに比べて多くなる。
【０００９】
【表１】
2005112892.tif 000003
表１において、一般成分はカツオの可食部であり、表１および表２ともに表内の「−」は未分析を意味する。
【００１０】
本発明で用いるミネラル含有蛋白質原液は、例えば、回遊性の硬骨魚類であるカツオから下記の工程に従って製造する。煮熟工程において、腐敗の進行防止と抽出物の増加のためにさらに２種の天然添加剤を加えると好ましい。
【００１１】
１．原体のカツオを漁猟後１時間以内に冷凍保存する。
２．冷凍保存のカツオをそのまま煮熟する。原体の大きさに応じて、カツオ全体を９０〜９５℃の湯で約３０分間煮熟する。
煮熟工程は、原体の自家消化酵素作用を止め、腐敗の発生と進行を可及的に阻止するために行う。
３．好天の日において、原体を約１週間天日干しする。
日乾し工程は、水分の一部を除き、肉蛋白を熱凝固させるために行う。
４．天日干しした原体を６倍量の湯で３時間煮出しする。
５．煮出し液を濾過して、清澄な抽出液を得る。
【００１２】
この抽出液について、財団法人日本食品分析センターで成分分析した結果を下記の表２に示す。この抽出液は、ＤＤＴＣ−Ａｇ吸光光度法によってヒ素、原子吸光光度法によって鉛、カドミウム、還元気化原子吸光光度法によって総水銀などが測定され、これらの有毒物質は全く含まれていないことが立証されている。
【００１３】
【表２】
2005112892.tif 000004
【００１４】
得たミネラル含有蛋白質原液はｐＨ７の中性であり、表２に示すように、水溶性ミネラルおよび蛋白質を主成分とするけれども、具体的な有効成分は明らかになっていない。現状では、複雑な分子構造の蛋白質の固化に伴って、前記の金属元素類または他の微量元素がその蛋白質の特定の部位に結合することにより、遠赤外線放射作用が発生するものと推定している。
【００１５】
このミネラル含有蛋白質原液は、ポリウレタン樹脂水分散体やアクリル樹脂エマルジョンなどの樹脂溶液に均一に分散させ、該樹脂溶液を鉢巻き、膝掛け、毛布、マフラー、Ｔシャツのような繊維製着用品に付着し、乾燥によって固化する。この樹脂溶液は、ミネラル含有蛋白質原液を均一に分散できれば、化学反応性の水溶性樹脂、樹脂懸濁液、樹脂エマルジョン、親水性共重合体などのいずれでもよい。この原液が樹脂に分散した状態で固化すると、樹脂そのものが遠赤外線放射体として機能することになる。
【００１６】
このミネラル含有蛋白質原液は、図１に示すように繊維に付着させると、高レベルの遠赤外線を放射する。繊維に付着させた際の遠赤外線放射特性を確認するために、このミネラル含有蛋白質原液を通常の綿布に適量付着させ、その遠赤外線スペクトルをフーリエ変換型赤外線分光高度計によって２５℃で測定した結果を図１に示す。図１はミネラル含有蛋白質原液を付着させた試料の分光放射率（％）のグラフであり、図２はこの原液を付着させない単なる綿布の分光放射率（％）のグラフである。図１と図２から明らかなように、繊維製着用品にミネラル含有蛋白質原液を付着させると、遠赤外線の波長域で放射率が相当に向上する。
【００１７】
したがって、本発明の繊維製着用品を人が着用すると、遠赤外線を吸収することができ且つ遠赤外線の発生が長期間持続する。このミネラル含有蛋白質原液が放射する遠赤外線は、人体内部に深く浸透して内部で発熱して身体を芯から温めることにより、微細血管の拡張、血液循環の促進、新陳代謝の促進が図れることが解明されている。学生や児童が本発明の繊維製着用品を着用すると、冬季の深夜における勉強も進捗し、ひいては学力増進に寄与するものである。
【００１８】
図３および図４では、超音波血流計（商品名：ＥＳ−１０００−ＳＰII）を用いて、被験者の手首部分の動脈の血流が１分間に動いた距離（ｃｍ）を測定することにより、血液循環の促進作用を確認する。図３において、（１）は単なるワッフル織の竹綿製Ｔシャツを着用した被験者の測定グラフであり、（２）はミネラル含有蛋白質原液を均一に分散させた樹脂溶液を付着させた同じＴシャツを着用した被験者の測定グラフである。図４において、（１）は単なる平織の竹綿製Ｔシャツを着用した被験者の測定グラフであり、（２）はミネラル含有蛋白質原液を均一に分散させた樹脂溶液を付着させた同じＴシャツを着用した被験者の測定グラフである。図３から、ピーク（ＰＫ）で５.０ｃｍ／秒、平均で３.０ｃｍ／秒の改善が生じ、しかも心拍数が減少している。図４から、ピーク（ＰＫ）で４.８ｃｍ／秒、平均で１.６ｃｍ／秒の改善が生じ、心拍数は同一である。この結果から、ミネラル含有蛋白質原液を均一に分散させた樹脂溶液を付着させた繊維製着用品には、血流促進効果を有することが明らかである。
【００１９】
このミネラル含有蛋白質原液は、樹脂溶液に均一に分散させて該樹脂溶液を繊維製着用品に付着させると、遠赤外線の中に含まれる波長６〜１４μｍの活性光線を多く放射する。図１を参照すると、黒体を１００％として６〜１４μｍの波長帯で９０％以上の高い放射率を有し、高レベルの活性光線を放射することが明白である。世界保険機構（ＷＨＯ）は身体に３６５個の経穴（ツボ）があることを認めており、遠赤外線は身体の経穴から体内に吸収されることが判明している。高レベルの活性光線は、体内に吸収される際に経穴を刺激することにより、脳波の一種であるα波の発生を促進する。
【発明の効果】
【００２０】
本発明に係る繊維製着用品は、ミネラル含有蛋白質原液を均一に分散させた樹脂溶液を付着していることにより、その着用によって遠赤外線を吸収することができ且つ遠赤外線発生が長期間持続する。本発明で用いるミネラル含有蛋白質原液は、このミネラル含有蛋白質原液が放射する遠赤外線では、特に８〜１４μｍの波長のものが人体内部に深く浸透し、内部で発熱して身体を芯から温めることが解明されている。この結果、微細血管の拡張、血液循環の促進、新陳代謝の促進が図れ、学生や学童用の繊維製着用品であれば学力増進に寄与しうる。
【００２１】
本発明の繊維製着用品は、高レベルの活性光線を放射し、その活性光線が着用者の経穴から吸収されて大脳を刺激することにより、着用者から脳波の一種であるα波を誘導発生する。着用者からα波が誘導発生すれば、身体のホルモンバランスを整え、人間本来が持っている自然治癒力を高める。また、大脳がリラックスすると同時に視床下部も刺激され、ストレスが解消して自律神経の活性化につながることにより、この繊維製着用品が学生や学童用であれば学力増進が十分に期待できる。
【００２２】
本発明の繊維製着用品は、回遊性の硬骨魚類から抽出したミネラル含有蛋白質原液を付着させて遠赤外線を放射させるので、トルマリンやセラミックスの微粉末を接着する場合に比べて遙かに安価である。この繊維製着用品は、ミネラル含有蛋白質原液が樹脂溶液に均一に分散されることにより、固体の微粉末を添加する場合に比べて柔軟さを損なうことが少なく、着用時に違和感が生じることがなくて好適な着用感を常に維持できる。
【実施例１】
【００２３】
次に、本発明を実施例に基づいて説明するが、本発明は実施例に限定されるものではない。実施例１における繊維製着用品は、受験生用の鉢巻きとして用いる綿布である。
【００２４】
前記のミネラル含有蛋白質原液（商品名：ＷＭ−２）２重量部を、ポリウレタン樹脂水分散体（商品名：スーパーフレックス３００，第一工業製薬製）５重量部と良く混合し、この混合液を水１００重量部の中に投入する。得た樹脂溶液の中に綿布を浸漬して軽く絞り、約６％のミネラル含有蛋白質原液を綿布に付着させる。この綿布を乾燥すると、加工処理が完了する。下記のα波分析試験のために５枚の綿布を加工処理する。
【実施例２】
【００２５】
実施例１と同様に、実施例１で得た樹脂溶液の中に綿布を浸漬して強く絞り、約３％のミネラル含有蛋白質原液を綿布に付着させて乾燥する。下記のα波分析試験のために５枚の綿布を加工処理する。
【００２６】
試験例１
実施例１または２で加工処理した綿布に加え、比較例１として水洗いだけの綿布５枚も使用する。脳波測定機として、アルファ波分析機（商品名：パルラックスII、フューテックエレクトロニクス製）を用いる。この分析機では、脳波におけるβ波、α波、θ波を計測する。各脳波について、国際脳波学会の周波数分類と状態説明を表３にまとめる。
【００２７】
【表３】
2005112892.tif 000005
【００２８】
（試験方法）
被験者は一人の人間であり、まず水洗いだけの綿布を鉢巻きとして被験者の頭部に巻き付け、各綿布について、巻き付け３分後に被験者から発生する脳波を測定することを５回繰り返す。ついで実施例２の綿布について、巻き付け３分後に被験者から発生する脳波を測定することを５回繰り返し、さらに実施例１の綿布について、巻き付け３分後に被験者から発生する脳波を測定すること５回繰り返す。通常の場合には、連続測定のために被験者が嫌気になり、α２波は減少する傾向が生じる。
【００２９】
比較例１（水洗いだけの綿布）について、測定時間内に検出された脳波を表４に示す。
【表４】
2005112892.tif 000006
【００３０】
比較例１（水洗いだけの綿布）について、意識状態を表すセルフチェック表を表５に示す。セルフチェック表の各項目について、得点が高いほどその状態が強いものと判断することができる。
【表５】
2005112892.tif 000007
【００３１】
実施例２（原液３％処理の綿布）について、測定時間内に検出された脳波を表６に示す。
【表６】
2005112892.tif 000008
【００３２】
実施例２（原液３％処理の綿布）について、意識状態を表すセルフチェック表を表７に示す。
【表７】
2005112892.tif 000009
【００３３】
実施例１（原液６％処理の綿布）について、測定時間内に検出された脳波を表８に示す。
【表８】
2005112892.tif 000010
【００３４】
実施例１（原液６％処理の綿布）について、意識状態を表すセルフチェック表を表９に示す。
【表９】
2005112892.tif 000011
【００３５】
表５、７および９から明らかなように、分散緊張（β波）の平均値は、比較例１で２４.０、実施例２で１３.４、実施例１で９.８であり、ミネラル含有蛋白質原液の添加量の増加に応じて次第に減少している。また、集中（α波）の平均値は、比較例１で５９.６、実施例２で７４.６、実施例１で８０.４であり、通常の場合とは反対に、ミネラル含有蛋白質原液の添加量の増加に応じて次第に増大している。したがって、実施例１および２の鉢巻き用綿布は、学習時における集中力や疲労回復に好影響を与えるものであり、特に実施例１である原液６％処理の綿布が与える影響が大きい。
【実施例３】
【００３６】
実施例３における繊維製着用品は、受験生用マフラーとして用いるタオル布である。実施例１と同様に、実施例１で得た樹脂溶液の中にタオル布を浸漬して軽く絞り、約６％のミネラル含有蛋白質原液をタオル布５枚に付着させて乾燥する。α波分析試験のために５枚のタオル布を加工処理する。
【実施例４】
【００３７】
実施例１と同様に、実施例１で得た樹脂溶液の中に綿布を浸漬して強く絞り、約３％のミネラル含有蛋白質原液をタオル布に付着させて乾燥する。α波分析試験のために５枚のタオル布を加工処理する。
【００３８】
試験例２
実施例３または４で加工処理したタオル布に加え、比較例２として水洗いしただけのタオル布５枚も使用する。脳波測定機として、試験例１と同様にアルファ波分析機（商品名：パルラックスII）を用いる。この測定方法は、タオル布をマフラーとして被験者の首に巻くことを除いて、実質的に試験例１と同一である。
【００３９】
比較例２（水洗いだけのタオル布）について、測定時間内に検出された脳波を表１０に示す。
【表１０】
2005112892.tif 000012
【００４０】
比較例２（水洗いだけのタオル布）について、意識状態を表すセルフチェック表を表１１に示す。
【表１１】
2005112892.tif 000013
【００４１】
実施例４（原液３％処理のタオル布）について、測定時間内に検出された脳波を表１２に示す。
【表１２】
2005112892.tif 000014
【００４２】
実施例４（原液３％処理のタオル布）について、意識状態を表すセルフチェック表を表１３に示す。
【表１３】
2005112892.tif 000015
【００４３】
実施例３（原液６％処理のタオル布）について、測定時間内に検出された脳波を表１４に示す。
【表１４】
2005112892.tif 000016
【００４４】
実施例３（原液６％処理のタオル布）について、意識状態を表すセルフチェック表を表１５に示す。
【表１５】
2005112892.tif 000017
【００４５】
表１１、１３および１５から明らかなように、分散緊張（β波）の平均値は、比較例２で２１.８、実施例４で１１.８、実施例３で５.８であり、ミネラル含有蛋白質原液の添加量の増加に応じて次第に減少している。また、集中（α波）の平均値は、比較例２で５４.０、実施例４で６５.０、実施例３で８１.４であり、通常の場合とは反対に、ミネラル含有蛋白質原液の添加量の増加に応じて次第に増大している。したがって、実施例３および４のマフラー用タオル布は、学習時における集中力や疲労回復に好影響を与えるものであり、特に実施例３である原液６％処理のタオル布が与える影響が大きい。
【実施例５】
【００４６】
この実施例における繊維製着用品は、受験生用として好適な毛布である。まず、ミネラル含有蛋白質原液（商品名：ＷＭ−２）２重量部を、アクリル樹脂エマルジョン５重量部と良く混合し、この混合液を水１００重量部の中に投入する。得た樹脂溶液の中に市販のアクリル毛布を浸漬して強く絞り、約３％のミネラル含有蛋白質原液を毛布に付着させ、加熱によって乾燥する。
【００４７】
試験例３
実施例５で原液処理した毛布に加え、比較のために水洗いだけの市販毛布を使用する。血流量測定機として、血流計（商品名：レーザー ドップラー血流計、モーア インスツルメンツ製）を用いる。この血流計は、２チャンネルの測定が可能であり、各毛布を掛けた被験者について、測定場所は被験者の頸動脈付近および胸部付近の血流量である。同時に、頸動脈付近および胸部付近の温度を測定し、この温度測定はレーザー ドップラー血流計で行うことができる。
（試験方法）
被験者をベッドに寝かせて測定を開始し、４分間の安静後に未処理の市販毛布を掛けて、血流量および温度を２０分間測定する。その後、市販毛布を外して４分間安静にし、この安静後に原液処理した毛布を掛けて、血流量および温度をさらに２０分間測定する。この測定結果が図５である。図５のデータを解析すると、途中の４分間の安静時間では、被験者は初期の体温まで下がっていないことが判明した。
【００４８】
血流量について
図５のグラフを見ると、血流量は途中で一定にならず変動しているので、それぞれの試験条件の時間における血流量の平均値を求め、その結果を図６の棒グラフに示す。図６では、毛布が掛けられていない安静時の血流量を基準の１００とする。市販毛布では、毛布が掛けられていない頸動脈付近でそれほど血流量が変化せず、毛布を掛けた胸部付近で約３３％増加している。一方、原液処理した毛布では、頸動脈付近でも胸部付近でも５０％程度血流量が増大していることが判る。この場合、毛布が掛けられていない頸動脈付近の方が他方よりも多少多いけれども、これは棒グラフ作成上の誤差である。
【００４９】
温度について
図５に示すように、市販毛布では、頸動脈付近および胸部付近において時間の経過とともに温度が上昇していき、それがほぼ飽和している様子が判る。一方、原液処理した毛布でも、時間の経過とともに温度が上昇していくが、毛布を掛けた初期には温度が下降することを示し、これは前の安静時の影響による誤差である。このため、原液処理した毛布では、温度上昇を開始した時点からの範囲だけを採用し、これを市販毛布の温度上昇と比較すると、最終温度は市販毛布よりもより高い温度まで上昇し、且つ温度の経時変化は市販毛布よりもやや速いことが判明する。
【００５０】
実施例５において原液処理した毛布は、未処理の市販毛布よりもより高い温度まで上昇することが判る。これは、原液処理した毛布では毛布の掛かっていない首筋でも血流量が増えることから証明できる。また、原液処理した毛布は、未処理の市販毛布に比べて温度上昇が速いことも判る。したがって、実施例５において原液処理した毛布は、受験勉強時の就寝において疲労回復に好影響を与え、この毛布を用いて膝掛けまたはポンチョなどを縫製しても好ましい。
【図面の簡単な説明】
【００５１】
【図１】本発明で用いるミネラル含有蛋白質原液を付着させた綿布の分光放射率のグラフである。
【図２】原液を付着させない単なる綿布の分光放射率のグラフである。
【図３】超音波血流計を用いて被験者の手首部分の動脈の血流移動距離を測定し、（１）は単なる竹綿製Ｔシャツを着用した被験者の測定グラフであり、（２）はミネラル含有蛋白質原液を均一に分散させた樹脂溶液を付着させた同じＴシャツを着用した被験者の測定グラフである。
【図４】図３と同様の測定であり、（１）は単なる平織の竹綿製Ｔシャツを着用した被験者の測定グラフであり、（２）はミネラル含有蛋白質原液を均一に分散させた樹脂溶液を付着させた同じＴシャツを着用した被験者の測定グラフである。
【図５】被験者をベッドに寝かせ、血流計によって被験者の頸動脈付近および胸部付近の血流量ならびに温度を測定したグラフである。
【図６】図５のグラフにおいて増減する血流量から、それぞれの試験条件の時間における血流量の平均値を求めて図示した棒グラフである。
【図１】
2005112892.tif 000018
【図２】
2005112892.tif 000019
【図３】
2005112892.tif 000020
【図４】
2005112892.tif 000021
【図５】
2005112892.tif 000022
【図６】
2005112892.tif 000023